(57)【要約】【課題】海水、砂、埃等の異物の付着を防止し、良好な発音性能を維持する魚釣用スピニングリールを提供する。【解決手段】魚釣用スピニングリール１は、発音装置５０を備えている。発音装置５０は、スプール３に設けられた壁部に取り付けられてスプール３と一体に回転するとともに、スプール３の軸方向に収容部５８を形成する第１部材５１と、収容部５８に少なくとも一部が収容され、スプール軸８側に係合する第２部材５３と、収容部５８に収容され、第１部材５１および第２部材５３の一方に設けられる音出し部材５４と、を備えている。第１部材５１および第２部材５３の他方は、音出し部材５４が弾発係合して発音する発音部材を構成している。【選択図】図３
2020156364.tif 000002
【特許請求の範囲】
【請求項１】
リール本体に設けられたスプール軸にドラグ機構を介して取り付けられるスプールと、
前記ドラグ機構による制動力に抗して前記スプールが前記スプール軸に対して釣糸繰り出し方向に回動した際にクリック音を発生する発音装置と、前記スプールに設けられ、前記発音装置が取り付けられる壁部と、を備え、
前記発音装置は、
前記壁部に取り付けられ前記スプールと一体に回転するとともに、前記スプールの軸方向に収容部を形成する第１部材と、
前記収容部に少なくとも一部が収容され、前記スプール軸側に係合する第２部材と、
前記収容部に収容され、前記第１部材および前記第２部材の一方に設けられる音出し部材と、を備えており、
前記第１部材および前記第２部材の他方は、前記音出し部材が弾発係合して発音する発音部材を構成していることを特徴とする魚釣用スピニングリール。
【請求項２】
前記スプールは、釣糸が巻回される巻回胴部と、前記巻回胴部よりも大径に形成され、前記巻回胴部の糸巻量を規定する前フランジ部及び後フランジ部と、を備えており、
前記発音装置は、前記前フランジ部を前記壁部として機能させ、前記前フランジ部の前面に取り付けられていることを特徴とする請求項１に記載の魚釣用スピニングリール。
【請求項３】
前記音出し部材と前記発音部材とは、前記スプールの径方向に配置されていることを特徴とする請求項１または請求項２に記載の魚釣用スピニングリール。
【請求項４】
前記第１部材は、円板状の底部と、前記底部の外周部から突出するリブと、を備えたケース部材であり、
前記ケース部材は、前記壁部に取り付けられて前記収容部の開口を閉じることを特徴とする請求項１から請求項３のいずれか１項に記載の魚釣用スピニングリール。
【請求項５】
前記音出し部材は前記第１部材に設けられており、
前記第２部材が前記発音部材を構成しており、
前記音出し部材は、前記第２部材の径方向に対向して設けられた凹凸部に弾発係合することを特徴とする請求項１から請求項４のいずれか１項に記載の魚釣用スピニングリール。
【発明の詳細な説明】
【技術分野】
【０００１】
本発明は、魚釣用スピニングリールに関するものである。
【背景技術】
【０００２】
一般的に、魚釣用スピニングリールは、釣糸が巻回されるスプールに釣糸繰り出し方向に制動力を付与するドラグ機構を備える。また、魚釣用スピニングリールには、ドラグ機構の動作状態、つまり、ドラグ機構で設定された制動力以上の荷重が作用してスプールが釣糸繰り出し方向に回動した状態を釣人にクリック音にて報知するための発音装置が搭載されている。
【０００３】
従来、魚釣用スピニングリールに搭載される発音装置として、特許文献１，２に記載されたものが知られている。特許文献１，２の発音装置は、スプールの巻回胴部の内側やスプールのスカート部の内側に設けられている。発音装置は、スプールと一体回転する部分、およびスプール軸と一体回転する部分の一方に発音部材を設け、他方に音出し部材を設けて、これらの相対回転で発音するように構成されている。
【先行技術文献】
【特許文献】
【０００４】
【特許文献１】特開２００５−７３６７０号公報
【特許文献２】実開昭５７−３１１７３号公報
【発明の概要】
【発明が解決しようとする課題】
【０００５】
特許文献１，２の発音装置は、スプールの巻回胴部の内側やスプールのスカート部の内側において、発音部材および音出し部材がスプール内に露出する状態に設けられている。このため、実釣時にスプールの後部の隙間等を通じて、海水、砂、埃等の異物がスプール内に侵入した場合に、これらが発音部材や音出し部材に付着して良好な発音性能が得られなくなるおそれがあった。
【０００６】
本発明は、前記課題を解決するためになされたものであり、海水、砂、埃等の異物の付着を防止し、良好な発音性能を維持することができる魚釣用スピニングリールを提供することを目的とする。
【課題を解決するための手段】
【０００７】
前記目的を達成するために本発明の魚釣用スピニングリールは、リール本体に設けられたスプール軸にドラグ機構を介して取り付けられるスプールを備えている。また、魚釣用スピニングリールは、前記ドラグ機構による制動力に抗して前記スプールが前記スプール軸に対して釣糸繰り出し方向に回動した際にクリック音を発生する発音装置と、前記スプールに設けられ、前記発音装置が取り付けられる壁部と、を備えている。前記発音装置は、前記壁部に取り付けられ前記スプールと一体に回転するとともに、前記スプールの軸方向に収容部を形成する第１部材と、前記収容部に少なくとも一部が収容され、前記スプール軸側に係合する第２部材と、前記収容部に収容され、前記第１部材および前記第２部材の一方に設けられる音出し部材と、を備えている。前記第１部材および前記第２部材の他方は、前記音出し部材が弾発係合して発音する発音部材を構成している。
【０００８】
この魚釣用スピニングリールでは、発音装置を構成する音出し部材および発音部材が第１部材により形成される収容部内に収容されているので、海水、砂、埃等の異物が音出し部材および発音部材に付着し難い。これにより、発音装置の良好な発音性能を長期に亘って維持することができる。
【０００９】
また、前記スプールは、釣糸が巻回される巻回胴部と、前記巻回胴部よりも大径に形成され、前記巻回胴部の糸巻量を規定する前フランジ部及び後フランジ部と、を備えていることが好ましい。この場合、前記発音装置は、前記前フランジ部を前記壁部として機能させ、前記前フランジ部の前面に取り付けられていることが好ましい。
このように構成することで、音響の障壁が少なく開放されるので、発音装置で発生するクリック音がスプール内にこもるおそれがなく、スプールの外部に直接的に響き易い。したがって、歯切れのよい音質で音感を刺激するクリック音が得られる。
【００１０】
また、前記音出し部材と前記発音部材とは、前記スプールの径方向に配置されていることが好ましい。
このように構成することで、発音装置のコンパクト化（軸方向のコンパクト化）を容易に図ることができる。また、発音装置のコンパクト化によって組付性も向上する。
【００１１】
また、前記第１部材は、円板状の底部と、前記底部の外周部から突出するリブと、を備えたケース部材であることが好ましい。この場合、前記ケース部材は、前記壁部に取り付けられて前記収容部の開口を閉じることが好ましい。
このように構成することで、収容部内に海水、砂、埃等の異物が侵入するのを好適に防止することができる。これによって、海水、砂、埃等の異物が音出し部材や発音部材に付着するのを防止でき、良好な発音性能を長期に亘って維持することができる。
また、ケース部材の開口を閉じるための部品を別途用意する必要がないので、部品点数の削減およびコストの低減を測ることができる。さらに、発音装置のコンパクト化（軸方向のコンパクト化）を図ることができる。
【００１２】
また、前記音出し部材が前記第１部材に設けられており、前記第２部材が前記発音部材を構成している場合には、前記音出し部材は、前記第２部材の径方向に対向して設けられた凹凸部に弾発係合することが好ましい。
このように構成することによって、発音装置の構造を簡単化することができる。また、構造が簡単になるので、メンテナンス性にも優れる。
【発明の効果】
【００１３】
本発明によれば、海水、砂、埃等の異物の付着を防止し、良好な発音性能を維持することができる魚釣用スピニングリールが得られる。
【図面の簡単な説明】
【００１４】
【図１】本発明の第１実施形態に係る魚釣用スピニングリールの全体構成を示しつつ要部を断面で表した側面図である。
【図２】スプールから発音装置およびドラグノブを取り外した分解斜視図である。
【図３】スプールの拡大断面図である。
【図４】発音装置の分解斜視図である。
【図５】リールとドラグノブと発音装置との関係を示す後面図である。
【図６】（ａ）は発音装置のケース部材を示す前面図、（ｂ）は同じくケース部材の側面図、（ｃ）は同じくケース部材の後面図である。
【図７】本発明の第２実施形態に係る魚釣用スピニングリールを示す図であり、（ａ）は発音装置の要部を示す拡大断面図、（ｂ）は同じく図７（ａ）のＶＩＩ−ＶＩＩ線に沿う断面図である。
【発明を実施するための形態】
【００１５】
以下、本発明に係る魚釣用スピニングリールの実施形態について図面を参照して説明する。以下の説明において、「前後」「上下」を言うときは、図１に示す方向を基準とし、「左右」を言うときは、図２に示す方向を基準とする。
【００１６】
（第１実施形態）
はじめに魚釣用スピニングリール１の基本構造について説明する。
図１に示すように、魚釣用スピニングリール１は、ハンドル５ａを備えるリール本体１０と、ハンドル５ａの巻き取り操作により回転するロータ２と、ハンドル５ａの巻き取り操作により前後方向に往復運動するスプール３と、を備えている。
【００１７】
リール本体１０は、左側に向って開口する円形の側部開口部１６が形成されたボディ１１を備えている。また、リール本体１０は、ボディ１１から上方に延びて上端に竿取付部１２ａが形成された脚部１２と、ボディ１１の前側に設けられたボディ前部１３と、側部開口部１６を閉塞しつつハンドル軸（不図示）を支持する蓋部材１４とを備えている。
【００１８】
ボディ前部１３内には、駆動軸筒７とスプール軸８が挿入されている。駆動軸筒７は、ボディ前部１３に回転自在に支持されている。
駆動軸筒７の前端及びスプール軸８の前端は、ボディ前部１３よりも前方に突出している。そして、駆動軸筒７の前端にロータ２が取り付けられ、スプール軸８の前端にスプール３が取り付けられている。
【００１９】
一方、駆動軸筒７の後端及びスプール軸８の後端は、ボディ１１内に配置されている。また、駆動軸筒７の後部には、ピニオンギャ（不図示）が一体に形成されている。蓋部材１４は、円形の部材であり、螺合によって側部開口部１６に固定され、側部開口部１６を閉塞しつつハンドル軸（不図示）を軸支している。
【００２０】
ボディ１１内には、ハンドル軸（不図示）に固定されるドライブギャ及び歯車（不図示）と、スプール往復動装置（不図示）と、が組み付けられている。ドライブギャにより、ピニオンギャを介して駆動軸筒７及びロータ２が回転駆動される。また、スプール往復動装置を介してスプール軸８が前後方向に往復運動する。
【００２１】
スプール３は、ドラグ機構２０を介して制動力を受けた状態でスプール軸８に回転可能に取り付けられている。スプール３は、その後側がスプール軸８に固定された座板３０に保持され、前側がスプール軸８に螺合されたドラグノブ４０に保持されており、座板３０とドラグノブ４０とによってスプール軸８の前後方向に挟持されている。
【００２２】
スプール３の前部には、図２に示すように、前方に向けて開口する有底筒状の凹部５５が形成されている。凹部５５にはスプール３の構成部材としてドラグノブ４０の基部側が配設される。そして、凹部５５内には、クリック音を発生する発音装置５０が取り付けられている（図３参照）。以下、各部について詳細に説明する。
【００２３】
スプール軸８は、図３に示すように、後側から前側に向けて大径部８ａと、中径部８ｂと、小径部８ｃと、最小径部８ｄと、を備え、先端に向けて階段状に縮径する先細り形状とされている。
【００２４】
大径部８ａは、断面円形状である。また、中径部８ｂおよび小径部８ｃは、径方向に対向する一対の平面を備えた断面小判形状である。最小径部８ｄは、断面円形状である。小径部８ｃの前部には、スプール軸８にドラグノブ４０を螺合するための雄ねじが形成されている。
【００２５】
スプール３は、円筒形状を呈しており、前側軸受（ボールベアリング）２２と後側軸受（ボールベアリング）２４とを介してスプール軸８に回転可能に支持されている。スプール３は、釣糸が巻回される巻回胴部３ａと、巻回胴部３ａよりも大径に形成され、巻回胴部３ａの糸巻量を規定する前フランジ部３ｂ及び後フランジ部３ｃと、を備えている。巻回胴部３ａの内側には、スプール軸８に向けて延出する円板状の支持部３ａ１が一体に形成されている。支持部３ａ１の内周部には、後側軸受２４の外輪が装着されている。後側軸受２４の内輪には、スプール軸８の中径部８ｂが挿通されている。
【００２６】
巻回胴部３ａの内側において、支持部３ａ１の前側には、ドラグ機構２０を構成する制動部材及びドラグ機構２０を後方へ向けて押圧する押圧部材２１が配置されている。ドラグ機構２０及び押圧部材２１は、スプール軸８の中径部８ｂに支持されている。押圧部材２１の外周部は、前側軸受２２を介して巻回胴部３ａの内周面３ｈに支持されている。前側軸受２２の前方において、巻回胴部３ａの内周面３ｈには、抜け止め部材２３が取り付けられている。抜け止め部材２３は、巻回胴部３ａの内側から前側軸受２２、押圧部材２１、ドラグ機構２０及び後側軸受２４が抜け出るのを防止している。
【００２７】
また、巻回胴部３ａの内側において、支持部３ａ１の後側には、ワッシャ３３を介して座板３０が配置されている。座板３０は、スプール軸８の中径部８ｂが挿通される断面小判形状の中央孔３０ｂを有する円板状の基部３０ａを備えている。基部３０ａの外周部には、大径のシール部材３１が装着されている。また、基部３０ａの後面には、環状の突起３０ｃが設けられており、この突起３０ｃに小径のシール部材３２が装着されている。
座板３０は、スプール軸８の中径部８ｂに支持され、中径部８ｂと大径部８ａとの段差部となる大径部８ａの前端面に当接する状態で、スプール軸８に位置決めされている。
【００２８】
大径のシール部材３１は、巻回胴部３ａの内周面３ｇに弾力性をもって液密に当接している。また、小径のシール部材３２は、スプール軸８の大径部８ａの外周面に弾力性をもって液密に当接している。このようなシール構造によって、支持部３ａ１の後側からの水分の浸入が好適に防止されている。
【００２９】
前フランジ部３ｂは、巻回胴部３ａの前端に連続して径方向に延在する前フランジ本体３ｂ１と、前フランジ本体３ｂ１の前面外周部に取り付けられた前カバー３ｆとを備えている。前フランジ本体３ｂ１は、発音装置５０の後記するケース部材５１が取り付けられる壁部として機能する。前フランジ本体３ｂ１の前面３ｅは、前カバー３ｆで覆われる部分を除いて、図２に示すように、前方に露出している（前方に臨むように形成されている）。前面３ｅは、凹部５５の底面として機能し、発音装置５０の取付面となる。前面３ｅは、スプール軸８に直交する面である。前面３ｅには、図３に示すように、環状の突起部３ｂ３が形成されている。突起部３ｂ３は、後記する発音ギャ５３の凹溝５３ｆに係合している。
【００３０】
前カバー３ｆは、凹部５５の内周面を形成する周壁部３ｆ１を備えている。周壁部３ｆ１は、前フランジ本体３ｂ１から前方に突設された突設壁３ｂ２に螺合により固定されている。周壁部３ｆ１の内周面には、図２に示すように、周方向に９０度の間隔を空けて径方向外側に凹む４つの係合凹部３ｊが形成されている。係合凹部３ｊは、発音装置５０の外周部５０ｂの取付部となる。
【００３１】
ドラグノブ４０は、板状のベース部４１と、ベース部４１の前側にねじ４２ａ，４２ａで固定されたツマミ部４２と、ベース部４１の後側に取り付けられた断面略凹形状の押圧部４３と、を備えている。ベース部４１の中央部の後面には、スプール軸８の小径部８ｃが螺合されるナット部材４６が軸方向移動可能に回り止め配置されている。ナット部材４６と押圧部４３との間には、圧縮コイルばね４５が配設されている。
【００３２】
押圧部４３の外周面には、図２に示すように、ノブ側係止凸部４７が設けられている。ノブ側係止凸部４７は、半円柱状を呈している。押圧部４３の後端部は、図３に示すように、巻回胴部３ａの内側に延在しており、後端面が押圧部材２１の前端面に当接している。押圧部４３の後端外周部には、巻回胴部３ａの内周面３ｈに液密に当接する押圧部用シール部材４３ａが設けられている。
【００３３】
このようなドラグノブ４０は、ツマミ部４２を捩じ込むことで、圧縮コイルばね４５の押圧力を介して後部側の押圧部４３が押圧部材２１を押圧する。これによって、ドラグ機構２０が押圧部材２１で押圧され、ドラグ機構２０に制動力が生じ、スプール３がスプール軸８に摩擦結合される。
【００３４】
次に、発音装置５０について説明する。
発音装置５０は、クリック音を発生する装置であり、ドラグ機構２０による制動力に抗してスプール３がスプール軸８に対して釣糸繰り出し方向に回動した際に発音する装置である。発音装置５０は、スプール３の前フランジ本体３ｂ１の前方側とドラグノブ４０との間に配設されており、具体的には、スプール３の凹部５５内に設けられている（図２，図３参照）。つまり、発音装置５０は、ドラグノブ４０が取り付けられる側のスプール３の前方の広いスペースを利用して設置されている。
【００３５】
凹部５５は、スプール３の前端において、前フランジ部３ｂの前カバー３ｆの径方向内側に形成されている。凹部５５は、図３に示すように、前フランジ本体３ｂ１の前記した前面３ｅと、前カバー３ｆの前記した周壁部３ｆ１の内周面とで区画されており、発音装置５０及びドラグノブ４０の一部を収容している。
【００３６】
凹部５５の中央部には、図２に示すように、ドラグノブ４０の押圧部４３の後部側が挿入される挿入孔が開口している。挿入孔は、スプール３の巻回胴部３ａの内周面３ｈによって形成される孔である（図３参照）。挿入孔内には、押圧部材２１の前部が露出している。また、挿入孔を通じて凹部５５内には、スプール軸８の小径部８ｃ及び最小径部８ｄが延出している。
【００３７】
発音装置５０は、図４に示すように、ケース部材５１と、発音ギャ５３と、音出し部材としての音出しピン５４とを備えている。
ケース部材５１は、円板状の底部５１ａと、底部５１ａの外周部から後方に向けて一体的に突出するリブ５２と、を備えている。ケース部材５１は、特許請求の範囲における第１部材に相当する。ケース部材５１は、スプール３と一体に回転するとともにスプール３の軸方向に収容部５８を形成している。収容部５８は、後方へ向けて開口している。ケース部材５１は、前フランジ本体３ｂ１の前面３ｅに取り付けられて収容部５８の開口を閉じる。これによって、ケース部材５１の内側には、外部から閉塞された空間（収容部５８）が形成されている。
【００３８】
底部５１ａの中央部には挿通孔５１ｅが形成されている。挿通孔５１ｅには、発音ギャ５３に設けられた後記するフランジ部５３ｃが内挿される。
底部５１ａの後面上部には、後方に向けて突出する支持ピン５１ｃが一体的に形成されている。支持ピン５１ｃには、音出しピン５４の取付部５４ｃが装着される。支持ピン５１ｃの下方には、リブ５２に備わる延在リブ５２ｄを周方向に分断するようにして、音出しピン５４の配置スペース５２ｋが形成されている。
【００３９】
リブ５２は、径方向に二重に設けられた周リブ５２ａ１，５２ａ１と、周リブ５２ａ１，５２ａ１の両端部に連続する上リブ５２ｃ，５２ｃと、上リブ５２ｃ，５２ｃに連続する延在リブ５２ｄ，５２ｄと、を備えている。リブ５２は、周リブ５２ａ１，５２ａ１と上リブ５２ｃ，５２ｃとで囲われる後面視略Ｕ字形状（図６（ｃ）参照）の空間部５２ａを備えている。空間部５２ａは、クリック音を共鳴させる共鳴室として機能させることができる。外側の周リブ５２ａ１は、底部５１ａの外周部５０ｂに対して径方向内側にオフセットしている。外側の周リブ５２ａ１の外面には、周方向に９０度の間隔を空けて３つの係合凸部５２ｊが設けられている。係合凸部５２ｊは、半円柱状を呈している。係合凸部５２ｊは、スプール３側の凹部５５の周壁部３ｆ１の内周面に形成された係合凹部３ｊ（図２参照）に係合可能である。この凹凸係合によって、ケース部材５１は、スプール３側に回動が規制された状態で固定される。
【００４０】
発音ギャ５３は、リング状を呈している、発音ギャ５３は、リング状のギャ基部５３ａと、ギャ基部５３ａの周縁部に形成され凹凸部を構成する山部と谷部とを備えたギャ５３ｂと、を備えている。発音ギャ５３は、特許請求の範囲における第２部材に相当し、音出しピン５４が弾発係合して発音する発音部材を構成している。発音ギャ５３は、後記するように、スプール軸８側に係合している。
ギャ基部５３ａの内面５３ｄには、周方向に９０度の間隔を空けて４つのギャ側係止凸部５３ｊが設けられている。ギャ側係止凸部５３ｊは、半円柱状を呈している。ギャ側係止凸部５３ｊは、図５に示すように、ドラグノブ４０のノブ側係止凸部４７の回動軌跡上に位置している。このギャ側係止凸部５３ｊは、後記するように、スプール３がスプール軸８に対して釣糸繰り出し方向に回動した際に、周方向からノブ側係止凸部４７に当接するように構成されている。
ギャ基部５３ａの前部には、前方に向けて突出するリング状のフランジ部５３ｃが設けられている。発音ギャ５３は、フランジ部５３ｃを除いて、収容部５８内に収容されている。
【００４１】
このような発音ギャ５３は、フランジ部５３ｃをケース部材５１の挿通孔５１ｅに内挿して、ケース部材５１の底部５１ａの後面に回動可能に取り付けられる。ケース部材５１に発音ギャ５３が取り付けられた状態で、ギャ５３ｂは、図５に示すように、ケース部材５１の内側の周リブ５２ａ１の内周面との間に隙間を形成して配置される。
【００４２】
音出しピン５４は、図４に示すように、金属製の音出し部５４ａと、音出し部５４ａの支持部５４ｄに装着されたばね部材５４ｂと、を備える。ばね部材５４ｂの上端部には、ケース部材５１の支持ピン５１ｃに取り付けるための取付部５４ｃが形成されている。音出し部５４ａは、図５に示すように、支持ピン５１ｃに取付部５４ｃを取り付けて配置スペース５２ｋに音出しピン５４を配置した状態で、ギャ５３ｂの谷部に配置される。つまり、発音ギャ５３と音出しピン５４とは、スプール３の径方向に重なるように配置されている。
音出し部５４ａ及びばね部材５４ｂの一部は、収容部５８内に収容されている。
【００４３】
次に、スプール３の凹部５５に対する発音装置５０の装着及びドラグノブ４０の装着について説明する。
発音装置５０は、図２に示すように、スプール３の軸に沿うようにして凹部５５内に挿入され、凹部５５の取付面となる前面３ｅに当接するようにして装着される。この場合、凹部５５の周壁部３ｆ１の係合凹部３ｊに係合凸部５２ｊを位置合わせして、これらが相互に係合する状態で発音装置５０を装着する。これによって、スプール３側に発音装置５０のケース部材５１が回り止めされた状態に取り付けられる。
なお、図５に示すように、音出しピン５４の取付部５４ｃも、対応する係合凹部３ｊ内に収容される。
凹部５５内に発音装置５０を装着することで、ケース部材５１の後部開口は、凹部５５の前面３ｅによって閉じられる。つまり、ケース部材５１の収容部５８は、凹部５５の前面３ｅによって閉塞されている。
【００４４】
発音装置５０を装着した後、係止リング５６を凹部５５の周壁部３ｆ１に係止して発音装置５０の脱落を防止する。
【００４５】
その後、ドラグノブ４０を装着する。この場合、ドラグノブ４０の押圧部４３を発音装置５０の底部５１ａの挿通孔５１ｅに近づけ、挿通孔５１ｅに内挿されたフランジ部５３ｃ（発音ギャ５３）の内側にこれを挿入する。ここで、発音ギャ５３の内面５３ｄには、ギャ側係止凸部５３ｊが設けられているが、その形成間隔は９０度の広い間隔となっている。このため、挿入にあたってドラグノブ４０のノブ側係止凸部４７がギャ側係止凸部５３ｊに干渉するのを周方向に遊度をもって好適に回避することができる。したがって、ドラグノブ４０の挿入が行い易い。また、煩雑な位置決め作業も不要である。
【００４６】
その後、ドラグノブ４０のツマミ部４２を捩じ込み、ドラグノブ４０をスプール軸８（小径部８ｃ）に螺合する。
そして、ツマミ部４２をさらに捩じ込むことで、押圧部４３が押圧部材２１を介してドラグ機構２０が押圧される。これによって、ドラグ機構２０に制動力が生じる。
【００４７】
次に、発音装置５０の作用について説明する。
実釣時等にドラグ機構２０による制動力に抗してスプール３が釣糸繰り出し方向に回動すると、スプール３側に固定されたケース部材５１も同方向に回動する。ケース部材５１が回動すると、これに取り付けられた音出しピン５４の係合力によって、発音ギャ５３も図５の矢印Ｘ１方向に回動する。
【００４８】
その後、発音ギャ５３の回動によってギャ側係止凸部５３ｊがドラグノブ４０側のノブ側係止凸部４７に当接し、発音ギャ５３の回動が停止される。この状態で、釣糸繰り出し方向にスプール３がさらに回動することで、スプール３と一体になってケース部材５１が回動し、音出しピン５４がギャ５３ｂを順次乗り越えるようにしてギャ５３ｂに弾発的に係合する。これによって、クリック音が発生する。
【００４９】
以上説明した魚釣用スピニングリール１では、発音装置５０を構成する音出しピン５４及びギャ５３ｂ（発音ギャ５３）がケース部材５１により形成される収容部５８内に収容されている。したがって、海水、砂、埃等の異物が音出しピン５４及びギャ５３ｂ（発音ギャ５３）に付着し難い。これにより、発音装置５０の良好な発音性能を長期に亘って維持することができる。
【００５０】
また、発音装置５０は、前フランジ部３ｂの前面３ｅに取り付けられているので、音響の障壁が少なく開放されるので、発音装置５０で発生するクリック音がスプール３内にこもるおそれがなく、スプール３の外部に直接的に響き易い。したがって、歯切れのよい音質で音感を刺激するクリック音が得られる。
【００５１】
また、発音ギャ５３と音出しピン５４とがスプール３の径方向に配置されているので、発音装置５０のコンパクト化（軸方向のコンパクト化）を容易に図ることができる。また、発音装置５０のコンパクト化によって組付性も向上する。
【００５２】
また、ケース部材５１は、前フランジ部３ｂの前面３ｅに取り付けられて収容部５８の開口を閉じるので、収容部５８内に海水、砂、埃等の異物が侵入するのを好適に防止することができる。これによって、海水、砂、埃等の異物が発音ギャ５３や音出しピン５４に付着するのを防止でき、良好な発音性能を長期に亘って維持することができる。
また、ケース部材５１の開口を閉じるための部品を別途用意する必要がないので、部品点数の削減およびコストの低減を測ることができる。さらに、発音装置５０のコンパクト化（軸方向のコンパクト化）を図ることができる。
【００５３】
また、ケース部材５１に取り付けた音出しピン５４が発音ギャ５３のギャ５３ｂに弾発係合する構成であるので、発音装置５０の構造を簡単化することができる。また、構造が簡単になるので、メンテナンス性にも優れる。
【００５４】
（第２実施形態）
図７（ａ）（ｂ）を参照して第２実施形態に係る魚釣用スピニングリールについて説明する。本実施形態が前記第１実施形態と異なるところは、スプール３の後フランジ部３ｃを壁部として機能させ、後フランジ部３ｃの後面３ｅ１に発音装置５０Ａを取り付けた点である。なお、第１実施形態と同様の部分には、同一の符号を付して重複する説明は省略する
【００５５】
はじめに、スプール軸８Ａに対するスプール３の取付構造について説明する。スプール軸８は、大径部８ａ１とこれに連続する小径部８ｃ１とを備えている。小径部８ｃ１には、スプール３を支持するための取付部材３ｎがピン８ｇによって回り止め固定されている。スプール３は、この取付部材３ｎおよびドラグ機構２０を介してスプール軸８に回転可能に支持されている。
【００５６】
取付部材３ｎの後端部には、図７（ｂ）に示すように、円形状の取付部材フランジ部３ｎ１が形成されている。取付部材フランジ部３ｎ１の外面には、スプール軸側係止凸部３ｎ２が形成されている。
【００５７】
発音装置５０Ａは、ケース部材５１Ａと、発音ギャ５３Ａと、音出しピン５４とを備えている。
ケース部材５１Ａは、円板状の底部５１ａと、底部５１ａの外周部から前方に向けて一体的に突出するリブ５２と、を備えている。ケース部材５１Ａは、特許請求の範囲における第１部材に相当する。ケース部材５１Ａは、スプール３と一体に回転するとともにスプール３の軸方向に収容部５８を形成している。収容部５８は、前方へ向けて開口している。ケース部材５１は、後フランジ部３ｃの後面３ｅ１に取り付けられて収容部５８の開口を閉じている。これによって、ケース部材５１Ａの内側には、外部から閉塞された空間（収容部５８）が形成されている。
【００５８】
底部５１ａの中央部には挿通孔５１ｅが形成されている。挿通孔５１ｅには、発音ギャ５３Ａに設けられたギャ基部５３ａが内挿される。
外側の周リブ５２ａ１の外面に形成された４つの係合凸部５２ｊは、後フランジ部３ｃの周壁部３ｃ３の内周面に対応して形成された係合凹部３ｊ３に係合可能である。この凹凸係合によって、ケース部材５１Ａは、スプール３側に回動が規制された状態で固定される。
【００５９】
発音ギャ５３Ａは、特許請求の範囲における第２部材に相当し、音出しピン５４が弾発係合する発音部材として機能する。発音ギャ５３Ａは、スプール軸８側に係合している。
ギャ基部５３ａのギャ側係止凸部５３ｊは、取付部材フランジ部３ｎ１のスプール軸側係止凸部３ｎ２の回動軌跡上に位置している。このギャ側係止凸部５３ｊは、スプール３がスプール軸８Ａに対して釣糸繰り出し方向に回動した際に、周方向からスプール軸側係止凸部３ｎ２に当接するように構成されている。
発音ギャ５３は、ギャ基部５３ａを除いて、収容部５８内に収容されている。
【００６０】
このような発音ギャ５３Ａは、ギャ基部５３ａをケース部材５１Ａの挿通孔５１ｅに内挿して、ケース部材５１Ａの底部５１ａの前面に回動可能に取り付けられる。ケース部材５１Ａに発音ギャ５３Ａが取り付けられた状態で、ギャ５３ｂは、ケース部材５１Ａの内側の周リブ５２ａ１の内周面との間に隙間を形成して配置される。発音ギャ５３Ａと音出しピン５４とは、スプール３の径方向に重なるように配置されている。
【００６１】
発音装置５０Ａは、係合凹部３ｊ３に係合凸部５２ｊを位置合わせして、後フランジ部３ｃの後面３ｅ１に取り付けられる。発音装置５０Ａを装着することで、ケース部材５１Ａの前部開口は、後フランジ部３ｃの後面３ｅ１によって閉じられる。つまり、ケース部材５１Ａの収容部５８は、後フランジ部３ｃの後面３ｅ１によって閉塞されている。
【００６２】
また、発音装置５０Ａを装着する過程で、発音ギャ５３Ａの挿通孔５３ｍ内に取付部材３ｎの取付部材フランジ部３ｎ１が挿入される。ここで、挿通孔５３ｍの内面５３ｄには、ギャ側係止凸部５３ｊが設けられているが、その形成間隔は９０度の広い間隔となっている。このため、挿入にあたって取付部材３ｎのスプール軸側係止凸部３ｎ２がギャ側係止凸部５３ｊに干渉するのを周方向に遊度をもって好適に回避することができる。したがって、煩雑な位置決め作業も不要であり、発音装置５０Ａの取り付けが行い易い。
【００６３】
本実施形態の魚釣用スピニングリール１においても、発音装置５０Ａを構成する音出しピン５４及びギャ５３ｂ（発音ギャ５３Ａ）がケース部材５１Ａにより形成される収容部５８内に収容されている。したがって、海水、砂、埃等の異物が音出しピン５４及びギャ５３ｂ（発音ギャ５３Ａ）に付着し難い。これにより、発音装置５０Ａの良好な発音性能を長期に亘って維持することができる。
【００６４】
また、ケース部材５１Ａは、後フランジ部３ｃの後面３ｅ１に取り付けられて収容部５８の開口を閉じるので、収容部５８内に海水、砂、埃等の異物が侵入するのを好適に防止することができる。これによって、海水、砂、埃等の異物が発音ギャ５３Ａや音出しピン５４に付着するのを防止でき、良好な発音性能を長期に亘って維持することができる。
また、ケース部材５１Ａの開口を閉じるための部品を別途用意する必要がないので、部品点数の削減およびコストの低減を測ることができる。さらに、発音装置５０Ａのコンパクト化（軸方向のコンパクト化）を図ることができる。
【００６５】
以上、本発明の実施形態について説明したが、本発明は、上記した実施形態に限定されることはなく、種々変形することが可能である。
前記第１実施形態では、前フランジ部３ｂの内側に発音装置５０が配置される例を示したが、これに限られることはなく、前フランジ部３ｂの前方に配置されていてもよい。
【００６６】
前記第１，第２実施形態では、音出し部材として、音出しピン５４を用いたものを示したが、これに限られることはなく、発音部材に対して弾発係合してクリック音を発生できるものであれば、板ばね等、種々のものを採用することができる。
【符号の説明】
【００６７】
１        魚釣用スピニングリール
３      スプール
３ａ    巻回胴部
３ｂ    前フランジ部（壁部）
３ｃ    後フランジ部（壁部）
３ｅ    前面
８      スプール軸
１０    リール本体
２０    ドラグ機構
５０    発音装置
５０Ａ  発音装置
５１    ケース部材（第１部材）
５１ａ  底部
５２    リブ
５３    発音ギャ（第２部材、発音部材）
５３ｂ  ギャ（凹凸部）
５４    音出しピン（音出し部材）
５８    収容部
【図１】
2020156364.tif 000003
【図２】
2020156364.tif 000004
【図３】
2020156364.tif 000005
【図４】
2020156364.tif 000006
【図５】
2020156364.tif 000007
【図６】
2020156364.tif 000008
【図７】
2020156364.tif 000009